(57)【要約】      （修正有）【課題】測定対象の部位に照射した光の吸光度を利用して生体情報を測定する際の測定精度を向上させる。【解決手段】縞状パターンの光を生体に対して照射する発光部１０と、発光部１０により縞状パターンの光を照射された生体の外部へ出た光を受光して検出信号を出力する受光部１０と、受光部１０から出力される検出信号を解析して生体情報を取得する生体情報取得部３０とを具備する生体情報取得装置１。【選択図】図１
2017108924.tif 000002
【特許請求の範囲】
【請求項１】
縞状パターンの光を生体に対して照射する発光部と、
前記発光部により縞状パターンの光を照射された生体の外部へ出た光を受光して検出信号を出力する受光部と、
前記受光部から出力される検出信号を解析して生体情報を取得する生体情報取得部と
を具備する生体情報取得装置。
【請求項２】
前記生体情報取得部は、前記検出信号の信号成分のうち、前記受光部における受光素子の配置間隔に応じた空間周波数よりも低い空間周波数成分から前記生体情報を取得する請求項１の生体情報取得装置。
【請求項３】
前記生体情報取得部は、前記縞状パターンの波形と前記検出信号を表す波形についての特徴量の変化量から前記生体情報を算出する請求項１の生体情報取得装置。
【請求項４】
前記生体情報の測定対象となる深さに応じた空間周波数の縞状パターンを前記発光部に発光させる発光制御部
を具備する請求項１から請求項３の何れかの生体情報取得装置。
【請求項５】
前記生体情報取得部は、前記受光部の各受光素子から出力される検出信号の信号値の分布から特定される測定ポイントに対応する受光素子の検出信号から前記生体情報を取得する請求項１から請求項４の何れかの生体情報取得装置。
【請求項６】
前記生体情報は、血中グルコース濃度、ヘモグロビン濃度、血中酸素濃度、および中性脂肪濃度の何れかである請求項１から請求項５の何れかの生体情報取得装置。
【請求項７】
発光部と、受光した光を表す検出信号を出力する受光部とを生体情報の測定対象となる生体の部位に密着させる第１のステップと、
前記第１のステップにて生体の部位に密着させた前記発光部を縞状パターンで発光させる第２のステップと、
前記生体の外部に出た光の受光に応じて前記受光部々から出力される検出信号を解析して生体情報を取得する第３のステップと
を含む生体情報取得方法。
【発明の詳細な説明】
【技術分野】
【０００１】
本発明は、血液中の成分濃度などの生体成分を表す生体情報を生体から取得するための検査技術に関し、特に非侵襲生体検査に関する。
【背景技術】
【０００２】
非侵襲生体検査とは、口腔などの生体の開口部や生体の皮膚内への器具の挿入或いは身体の拘束を行うことなく生体情報を取得する検査のことをいう。以下では、検査対象の生体が人である場合、当該生体を「被験者」と呼ぶ場合がある。非侵襲生体検査は、開口部や皮膚内への器具の挿入や身体の拘束などを伴わないため、被験者に苦痛を与えることがないといった特徴を有する。非侵襲生体検査の一例としては、測定対象の部位に光を照射して当該光の吸光度を測定して生体成分の濃度等に換算する手法が挙げられる。
【先行技術文献】
【特許文献】
【０００３】
【特許文献１】特開２０１０−２８７４４２号公報
【特許文献２】特開２００９−１９５５１２号公報
【発明の概要】
【発明が解決しようとする課題】
【０００４】
吸光度を利用する生体成分の測定では、本来の測定対象部位よりも浅い部分、例えば体表付近で散乱された光の影響により、本来の成分濃度に対して誤差が生じ易い。
【０００５】
特許文献１および特許文献２の各文献に開示の技術は、検出信号に目的外の周波数成分の信号が加わった場合に目的外の周波数成分の信号を除去する技術である。例えば、特許文献１には、Ｘ線を投射して異物を検査する際に検査スペクトルから異物がない場合のスペクトルを除去し、フーリエ逆変換する例が開示されている。また、特許文献２には、被写体を透過した放射線画像から周期的パターンの空間周波数成分を除去することが開示されている。しかし、特許文献１や特許文献２には、測定対象の部位とは異なる部位による散乱成分の除去については考慮されておらず、これら特許文献１や特許文献２に開示の技術を用いたとしても、吸光度を利用して生体成分の測定を行う際の測定精度を向上させることはできない。
【０００６】
以上の事情を考慮して、本発明は、測定対象の部位に照射した光の吸光度を利用して生体情報を測定する際の測定精度を向上させることを目的とする。
【課題を解決するための手段】
【０００７】
以上の課題を解決するために、本発明の好適な態様に係る生体情報取得装置は、縞状パターンの光を生体に対して照射する発光部と、発光部により縞状パターンの光を照射された生体の外部へ出た光を受光して検出信号を出力する受光部と、受光部から出力される検出信号を解析して生体情報を取得する生体情報取得部とを具備する。
【０００８】
発光部の具体的な構成としては複数の発光素子をマトリクス状に配列した構成が考えられ、受光部の具体的な構成としては受光量に応じた信号を出力する複数の受光素子をマトリクス状に配列した構成が考えられる。また、生体情報取得部による生体情報の取得態様の具体例としては、検出信号に含まれる信号成分のうち直流成分、或いは直流成分を含む特定の空間周波数範囲、より具体的には、受光部に配列された受光素子の配置間隔に応じた空間周波数よりも低い空間周波数成分から生体情報を取得する態様や、縞状パターンを表す波形の振幅と受光部による検出光の空間分布を表す波形の振幅の変化量（例えば、前者と後者の差、或いは前者に対する後者の比）や両波形の直流成分の変化量などの両波形における特定の特徴量の変化量を生体情報に換算する態様が考えられる。これらの態様に共通するのは検出信号に含まれる信号成分のうち直流成分或いは直流成分を含む特定の周波数範囲の信号成分のみに着目して生体情報を取得するという点である。
【０００９】
詳細については後述するが、受光部の受光素子によって受光された光は生体内の様々な光路を通って当該受光素子に至った光の重ね合わせであり、生体内伝搬距離が長い光ほど、つまり生体内の深い位置まで到達した光ほど上記縞状パターンにおけるコントラストが小さくなる等、空間周波数情報を失っている。本発明では、検出光の直流成分或いは当該直流成分を含む特定の周波数範囲の信号成分から生体情報が取得され、空間周波数成分などの他の周波数成分の光、すなわち生体の浅い部分で散乱された光は生体情報の取得に使用されない。このため、本発明によれば、本来の測定対象部位より浅い部分で散乱された光の影響を排除し、生体情報の測定精度を従来よりも向上させることが可能になる。
【００１０】
本発明の生体情報取得装置により取得される生体情報の具体例としては、血中グルコース濃度、ヘモグロビン濃度、血中酸素濃度、中性脂肪濃度などの血液成分濃度が挙げられる。また、受光部と発光部は同じ面内に配置されても良く、また、生体情報の測定対象となる生体の部位を挟んで対向するように発光部と受光部とが配置されていても良い。前者の態様であれば、発光部により生体に向けて照射され、当該生体内で散乱された結果、入射側に戻ってく光が受光部により受光されることとなり、後者の態様であれば、発光部により生体に向けて照射された光のうち当該生体を通過した光が受光部により受光されることとなる。
【００１１】
より好ましい態様においては、生体情報取得装置は、生体情報の取得対象となる生体の深さに応じた空間周波数の縞状パターンを発光部に発光させる発光制御部を有する。どの程度の深さを観察したいかに応じて適切な空間周波数は異なるからである。
【００１２】
さらに好ましい態様においては、生体情報取得部は、受光部の各受光素子から出力される検出信号の直流成分の値の分布から特定される測定ポイントに対応する受光素子の検出信号から生体情報を取得する。測定対象の生体情報が血中グルコース濃度等の血液成分である場合、受光素子から出力される検出信号の直流成分の値を受光素子の配置に応じて配列すると、測定部位における血管の走行に応じた分布が現れる。この分布を表示装置に表示すれば、生体情報取得装置の使用者は測定ポイントを適切に選択すること、すなわち、血管上に測定ポイントを設定することができ、測定ポイントに対応する受光素子の検出信号のみから生体情報を取得することで生体情報の測定精度をさらに向上させることができる。
【００１３】
また、前述の課題を解決するために、本発明の好適な態様に係る生体情報取得方法は、発光部と、受光した光を表す検出信号を出力する受光部とを生体情報の測定対象となる生体の部位に密着させる第１のステップと、第１のステップにて生体の部位に密着させた発光部を縞状パターンで発光させる第２のステップと、生体の外部に出た光の受光に応じて受光部々から出力される検出信号を解析して生体情報を取得する第３のステップとを含む。この生体情報取得方法によっても、対象の部位に照射した光の吸光度を利用して生体情報を測定する際の測定精度が向上する。
【図面の簡単な説明】
【００１４】
【図１】本発明の実施形態による生体情報取得装置の構成図である。
【図２】生体情報取得装置が有する光源・センサーアレイの構成図である。
【図３】生体情報取得装置を生体に固定した状態の説明図である。
【図４】空間変調された生体入射光と出射光の振幅の関係を示す図である。
【図５】本実施形態における照射光と検出光のパターンを示す図である。
【図６】深さに対する空間周波数成分の消失率と空間周波数の関係を示す図である。
【図７】深さ−周波数変換テーブルの一例を示す図である。
【図８】深さ−周波数変換テーブルの一例を示す図である。
【図９】生体情報取得装置を用いた生体情報取得方法の手順を示すフローチャートである。
【発明を実施するための形態】
【００１５】
図１は、本発明の好適な形態に係る生体情報取得装置１の構成例を示す概略図である。生体情報取得装置１は、被験者の生体情報を非侵襲的に取得する装置である。より具体的には、生体情報取得装置１は、測定対象部位に対して照射した光の吸収度から血中グルコース濃度を取得する装置であり、被験者の腕や指先に固定帯（図１では図示略）等で固定して使用される。図１に示すように、生体情報取得装置１は、光源・センサーアレイ１０と、発光制御部２０と、生体情報取得部３０と、を有する。生体情報取得装置１は、光源・センサーアレイ１０、発光制御部２０および生体情報取得部３０の他に、メモリ等の記憶部や、他の外部機器を接続するための外部機器接続部も有するが、記憶部や外部機器接続部については既存の電子機器が有するものと特段に変わるところはないため、図１では図示を省略した。なお、外部機器接続部に接続される他の外部機器の具体例としては、生体情報取得装置１に各種の動作指示やデータを入力するための入力装置や、表示装置等の出力装置が挙げられる。
【００１６】
図２は光源・センサーアレイ１０の構成例を示す図である。光源・センサーアレイ１０は、複数の発光素子Ｄと複数の受光素子Ｒとをマトリクス状に配列して構成されている。以下では図２におけるＹ方向の素子の並びを「列」と呼び、Ｘ方向の素子の並びを「行」と呼ぶ。図２に示すように、光源・センサーアレイ１０のアレイ面において発光素子Ｄの列と受光素子Ｒの列は交互に並列される。発光素子Ｄおよび受光素子Ｒの各々は何れもアクティブに駆動することが可能な素子である。例えば、発光素子Ｄは有機ＥＬ素子であり、発光制御部２０による制御の下で発光する一方、受光素子Ｒは受光量に応じた検出信号を生体情報取得部３０へ出力する。光源・センサーアレイ１０は、発光面として機能するとともに受光面としても機能するアレイ面が外部に露出するように生体情報取得装置１に設けられている。
【００１７】
生体情報取得装置１を固定帯などで生体情報の取得対象となる生体の部位（腕や手首、指など）に固定する際には、図３に示すように、当該部位に光源・センサーアレイ１０のアレイ面が密着するように固定される。本実施形態では、この状態において発光素子Ｄから生体に照射された光は生体内における伝搬・散乱を経て生体外部に出て、受光素子Ｒにて受光される。
【００１８】
発光制御部２０と生体情報取得部３０は、ＣＰＵ（Central Processing Unit：図１では図示略）を、記憶部（図１では図示略）に予め記憶されたプログラムにしたがって作動させることにより実現されるソフトウェアモジュールである。本実施形態における発光制御部２０と生体情報取得部３０は何れもソフトウェアモジュールであるが、両方或いは何れか一方を電子回路等のハードウェアで実現しても良い。
【００１９】
発光制御部２０は、生体に対して縞状パターンで発光するように光源・センサーアレイ１０における複数の発光素子Ｄの発光を制御する。光源・センサーアレイ１０に含まれる複数の発光素子Ｄの集合は生体に対して縞状パターンの光を照射する発光部として機能する。光源・センサーアレイ１０に含まれる複数の受光素子Ｒの集合は発光部により縞状パターンの光を照射された生体の外部へ出た光を受光して検出信号を出力する受光部として機能する。縞状パターンとは、発光している発光素子Ｄの列と発光していない発光素子Ｄの列とが行方向に一定の間隔で交互に繰り返し並んでいる状態のことをいう。なお、本実施形態では行方向に明暗が繰り返す縞状パターンを用いる場合について説明するが、列行方向に明暗が繰り返す縞状パターンを用いても良い。以下では、空間的な広がりを有し、かつ縞状パターンを有する光を「空間変調光」と呼び、明暗の繰り返し間隔の逆数を「空間周波数」と呼ぶ。本実施形態において光源・センサーアレイ１０における複数の発光素子Ｄを縞状パターンで発光させる理由は以下の通りである。
【００２０】
図４は、空間変調された生体入射光と出射光の振幅の関係を示す図である。図４では、生体入射光の到達した生体内の深度が矢印Ａ１〜Ａ３により表されており、波形Ｗ１は矢印Ａ１により到達深度が表される射出光の波形を、波形Ｗ２は矢印Ａ２により到達深度が表される射出光の波形を、波形Ｗ３は矢印Ａ３により到達深度が表される射出光の波形を夫々表す。図４に示すように、生体内伝搬距離が長い光ほど、つまり生体内の深い位置まで到達した光ほど、波形の山・谷の差、すなわち明暗のコントラストが小さくなる。以下、空間変調された光のコントラストが小さくなることを「空間周波数情報を失う」という。
【００２１】
図５は、縞状パターンの光を生体に照射した場合に得られる検出光を示す図である。図５では、生体に対する照射光の縞状パターンが矩形波状の空間波形で表現されている。前述したように、複数の受光素子Ｒの各々によって受光される光は生体内のあらゆる光路を伝搬してきた光の重ね合わせであり、生体の深い位置まで到達した光ほど空間周波数情報を失っている。複数の受光素子Ｒの各々による検出光はこのような光の重ね合わせであるため、当該検出光の空間波形は照射光の空間波形に比較して滑らか正弦波状となって明暗の境界がぼやけ、振幅、すなわち明暗のコントラストが小さくなる。
【００２２】
前述したように複数の受光素子Ｒの各々によって受光される光のうち、空間周波数情報を失っていない光は、生体内の比較的浅い部分を通った光であり、空間周波数情報を失った光は比較的深い部分を通った光である。よって、検出光から照射光と同じ空間周波数情報を有する光を除去すれば、生体内の特定の部位のみの情報（吸光情報、散乱情報）を得ることができる。つまり、本実施形態では、生体内の特定の部位のみの情報をより浅い部位からの情報から分離して抽出できるようにするために、光源・センサーアレイ１０における複数の発光素子Ｄを縞状パターンで発光させる。
【００２３】
縞状パターンの空間周波数については予め定められた固定値であっても良いが、生体情報取得装置１の使用者が観察したい深さ、すなわち、生体情報の測定対象となる深さに応じて当該使用者が設定できることが好ましい。図６は空間周波数情報の消失率を３種類の空間周波数（ｆ１＜ｆ２＜ｆ３）についてプロットした図である。図６に示すように、空間周波数が高いほど深さに対する空間周波数情報の消失率は大きくなる。観察したい深さに対して空間周波数情報の消失率の小さい空間周波数の縞状パターンを用いると、検出光から照射光と同じ空間周波数情報を有する光を除去すると検出光の大半が除去され、生体情報を取得できなくなる。つまり、どの程度の深さを観察したいかに応じて適切な空間周波数は定まる。このため、生体情報の測定対象となる深さに応じて生体情報取得装置１の使用者が縞状パターンの空間周波数を設定できることが好ましい。
【００２４】
本実施形態では、生体情報取得装置１の使用者が観察したい深さに応じて空間周波数を設定できるようにするために、生体情報取得装置１には、生体情報の取得対象となる深さと縞状パターンの空間周波数との関係を表すデータを格納した深さ−周波数変換テーブル２１０が予め記憶されている。深さ−周波数変換テーブル２１０については、生体情報取得装置１のＣＰＵを発光制御部２０および生体情報取得部３０として機能させるプログラムに埋め込んでおいても良く、当該プログラムとは別個に記憶部に格納しておいても良い。
【００２５】
図７は、深さ−周波数変換テーブル２１０の一例を示す図である。図７に示すように、深さ−周波数変換テーブル２１０には、生体情報の取得対象となる深さを表すデータに対応付けて、その深さにて散乱された後も空間周波数情報を保っている縞状パターンの空間周波数の上限値を表すデータが格納されている。
【００２６】
発光制御部２０は、生体情報取得装置１の使用者により指定された深さに対応する空間周波数の値を深さ−周波数変換テーブル２１０から読み出し、この空間周波数の縞状パターンが発光されるように複数の発光素子Ｄの発光制御を行う。なお、生体情報取得装置１の使用者により指定された深さと同じ深さを示すデータが深さ−周波数変換テーブル２１０に格納されていない場合には、生体情報取得装置１の使用者により指定された深さに最も近い深さに対応する空間周波数を設定する処理を発光制御部２０に実行させるようにすれば良い。
【００２７】
深さ−周波数変換テーブル２１０の格納内容、すなわち、生体情報の測定対象となる深さと縞状パターンの空間周波数との関係については、模擬生体を用いた実験等により求めるようにすれば良い。なお、両者の関係については、測定対象内における散乱係数（または等価散乱係数）にも依存するため、散乱係数については一般的な生体散乱の実験値を前提とすれば良い。例えば前掲図７には、散乱係数が１．０（１／ｍｍ）の場合について例示されている。また、図８に示すように、生体情報の測定対象となる深さと縞状パターンの空間周波数との関係を表すデータを散乱係数毎に格納した深さ−周波数変換テーブル２１０を生体情報取得装置１に予め記憶させておき、測定対象の深さとともに散乱係数を生体情報取得装置１の使用者に指定させ、両者に対応する空間周波数を深さ−周波数変換テーブル２１０から読み出す処理を発光制御部２０に実行させても良い。なお、本実施形態では、深さ−周波数変換テーブル２１０を用いて、生体情報の測定対象となる深さに応じた空間周波数の設定を実現したが、例えば、生体情報の取得対象となる深さと縞状パターンの空間周波数との関係が数式で表現される場合には、この数式にしたがって生体情報の取得対象となる深さを空間周波数に換算するサブルーチンを上記プログラムに埋め込んで置いても良い。
【００２８】
生体情報取得部３０は、光源・センサーアレイ１０における複数の受光素子Ｒの各々から出力される検出信号から生体情報（本実施形態では血中グルコース濃度）を取得する。本実施形態では、生体情報取得部３０は、まず、複数の受光素子Ｒの各々から出力される検出信号から交流成分（以下、「ＡＣ成分」と表記）を除去し、直流成分（以下、「ＤＣ成分」と表記）を抽出する。ＤＣ成分は照射光の空間周波数に応じた深さよりも深い部位に達した光の成分に相当し、観察対象の生体情報を正確に反映しているからである。ＤＣ成分の抽出方法として種々の方法が考えられる。例えば行方向に並んだ受光素子Ｒの各々について検出信号の信号値の当該行方向の移動平均値を算出して（すなわち、ローパスフィルタ処理を施して）当該移動平均値をＤＣ成分とする方法、アレイ面全体での上記信号値の平均値や中央値等の統計的な特徴量をＤＣ成分とする方法、検出光を表す信号にＦＦＴによる周波数フィルタを施す方法などが挙げられる。本実施形態では、上述した移動平均値の算出により受光素子Ｒ毎に（換言すれば、アレイ面における受光素子Ｒの位置毎に）ＤＣ成分の算出が行われる。
【００２９】
次いで、本実施形態の生体情報取得部３０は、複数の受光素子Ｒの各々の検出信号におけるＤＣ成分または当該ＤＣ成分に応じた吸光度に応じた色または形状の図像を各々の出力元の受光素子Ｒに対応付けてマトリクス状に配列した画像（以下、測定ポイント設定画面）を表示装置（図１では図示略）に表示させる。例えば、図５に示すように、アレイ面における行方向の座標位置ｘの受光素子Ｒにおける検出値をＩｏｕｔ（ｘ）、周波数フィルタ等のフィルタ処理後の検出値をＩｏｕｔ＿ｆｉｌ（ｘ）、照射光の空間全単体平均をＩｉｎ＿ａｖｇとすると、行方向の座標位置ｘにおける生体通過光の見かけの吸光度Ａｂｓ（ｘ）は以下の式（１）のように表すことができ、この値は行方向の座標位置ｘにおける生体内部の吸収・散乱の情報に相当する。
Ａｂｓ（ｘ）＝−ｌｏｇ｛Ｉｏｕｔ＿ｆｉｌ（ｘ）／Ｉｉｎ＿ａｖｇ｝・・・（１）
上記Ａｂｓ（ｘ）の値または当該値に応じた表示態様の図像を受光素子Ｒに対応付けてマトリクス状に配列した画像を表示装置に表示させることにより、生体内部における光の吸収度の分布、すなわち観測対象の生体情報の分布が可視化される。
【００３０】
生体情報取得装置１の使用者は、測定ポイント設定画面を視認すると、吸光度の分布に応じて測定ポイントを設定する。生体情報取得部３０は測定ポイントとして指定された位置（或いは領域）に対応する受光素子Ｒの出力信号のＤＣ成分のみを用いて検出信号処理（例えば、ＤＣ成分の分布に対して主成分分析などの多変量解析を施して生体情報に換算したり、式（１）にしたがって吸光度に換算した後にさらに所定の換算式にしたがって生体情報に換算する等）を行って生体情報を算出し、表示装置（図１では図示略）に出力する。
以上が生体情報取得装置１の構成である。
【００３１】
＜生体情報取得装置１の使用方法＞
生体情報取得装置１の使用方法、すなわち、生体情報取得装置１を用いて生体情報を取得する生体情報取得方法の手順は概ね以下の通りである。図９は、本実施形態の生体情報取得方法の手順を示すフローチャートである。生体情報取得装置１の使用者は、生体情報の取得対象となる生体の部位に生体情報取得装置１を固定する（ステップＳＡ０１０）。前述したように測定対象の生体情報が血中グルコース濃度である場合には、生体情報取得装置１の使用者は、例えば固定帯などを用いて、光源・センサーアレイ１０が測定対象部位の皮膚に密着するように生体情報取得装置１を被験者の腕や手首、指などに固定する。
【００３２】
生体情報取得装置１の固定を完了すると、生体情報取得装置１の使用者は測定対象の深さを決定し（ステップＳＡ０２０）、生体情報取得装置１の操作部を操作して当該深さを示す値を入力する。本実施形態では血中グルコース濃度が測定対象であるため、生体情報取得装置１の使用者は、生体情報取得装置１を固定した部位における体表からの血管（例えば、静脈）の深さを表す値を生体情報取得装置１の操作部を操作して入力する。なお、生体情報取得装置１を固定した部位における体表からの血管の深さについては被験者の年齢、性別、体格、および統計データ等を参考に定めるようにすれば良い。
【００３３】
発光制御部２０は、操作部に対する操作により入力された値に対応付けて深さ−周波数変換テーブル２１０に格納されている空間周波数を当該テーブルから読み出し、光源・センサーアレイ１０に縞状パターンを発光させる際の空間周波数とする。これにより、光源・センサーアレイ１０の発光パターンが決定される（ステップＳＡ０３０）。そして、発光制御部２０は、光源・センサーアレイ１０を当該発光パターンで発光させる（ステップＳＡ０４０）。これにより、観察対象の深さに応じた空間周波数を有する縞状パターンの光が生体に照射される。光源・センサーアレイ１０によって生体に照射された光は生体内で散乱伝搬する。生体内における散乱伝搬を経て生体外に出た光の一部は光源・センサーアレイ１０の複数の受光素子Ｒの各々によって受光され、各受光素子Ｒから受光量に応じた検出信号が出力される（ステップＳＡ０５０）。
【００３４】
生体情報取得部３０は、複数の受光素子Ｒの各々から受け取った検出信号からＡＣ成分を除去してＤＣ成分を抽出し（ステップＳＡ０６０）、これらＤＣ成分を用いて測定ポイント設定画面を表示装置に表示させる（ステップＳＡ０７０）。前述したように、生体情報取得装置１の使用者は、測定ポイント設定画面を視認すると、ＤＣ成分の分布に応じて測定ポイントを設定する（ステップＳＡ０８０）。
【００３５】
本実施形態にて観察対象となっている生体情報は血中グルコース濃度であり、血管内とその外側とでは当然前者のほうが血中グルコース濃度の値は大きいはずである。血中グルコース濃度の値が大きいほどＤＣ成分の値が大きく（或いは小さく）なるのであれば、上記ステップＳＡ０７０において生体情報取得装置１が表示装置に表示させる測定ポイント設定画像には、生体内における血管の走行が表れる。上記ステップＳＡ０８０では、生体情報取得装置１の使用者は、測定ポイントとして上記血管上の位置或いは領域を設定する。本実施形態における観察対象は血中グルコース濃度だからである。
【００３６】
上記の要領で測定ポイントが設定されると、生体情報取得部３０は、ステップＳＡ０８０にて設定された測定ポイントに対応する受光素子Ｒの検出信号のＤＣ成分のみを対象として検出信号処理を実行（ステップＳＡ０９０）して血中グルコース濃度を算出し（ステップＳＡ１００）、その算出結果を表示装置に表示する（ステップＳＡ１１０）。
以上が生体情報取得装置１を用いた生体情報取得方法の手順である。
【００３７】
以上説明したように本実施形態によれば、妨害となりうる表層付近からの信号成分、すなわちＡＣ成分を除去して生体情報を算出することにより、生体情報の測定精度を向上させることが可能になる。加えて本実施形態では、測定ポイント設定画像においてＤＣ成分の値が他の部分よりも大きく（或いは小さく）なっている部分を測定ポイントとして設定することで、血管以外の部分からの散乱光を除外してより正確に血中グルコース濃度を測定することが可能になる。
【００３８】
＜変形例＞
以上に例示した実施形態は変形され得る。具体的な変形の態様を以下に例示する。以下の例示から任意に選択された２以上の態様を適宜併合することも可能である。
【００３９】
（１）上記実施形態では、血中グルコース濃度が測定対象の生体情報であったが、ヘモグロビン濃度、血中酸素濃度、或いは中性脂肪濃度などの他の血液成分濃度を測定対象としても良い。また、本発明による測定対象の生体情報は血液成分濃度に限定される訳ではなく、吸光度の測定値から換算可能な生体情報であればどのようなものであっても良い。また、濃度の測定対象の生体成分によっては特定の波長の光のみを散乱或いは吸収するといった具合に、濃度の測定対象の生体成分毎に光の散乱或いは吸収特性は異なり得る。このため、発光素子Ｄとして複数色の発光が可能な発光素子を用いる、或いは各々発光色の異なる複数の発光素子で１つの発光画素を形成するようにして測定対象の生体情報に応じて発光色を異ならせるようにしても良い。
【００４０】
（２）上記実施形態では、検出光のＤＣ成分のみに基づいて吸光度（すなわち、生体情報）を算出したが、ＤＣ成分を含む特定の周波数範囲の周波数成分を用いて吸光度等を算出しても良い。例えば、照射光のスペクトルと検出光のスペクトルにおける上記周波数範囲についての面積比を吸光度とする、といったことが考えられる。ここで上記周波数範囲の上限は光源・センサーアレイ１０における受光素子の配置間隔（ピッチ）に応じて定まり、例えば当該ピッチが２５μｍである場合には上記周波数範囲の上限は２０（ｃｙｃｌｅ／ｍｍ）となる。また、照射光の空間波形と検出光の空間波形とについての特徴量（振幅や振幅の平均値等）の変化量を生体情報に換算しても良い。
【００４１】
（３）上記実施形態では、受光部として機能する複数の受光素子が、発光部として機能する複数の発光素子と同じ面に配列されており、受光部と発光部とが同一面に配置されていた。しかし、生体情報の測定対象となる生体の部位を挟んで発光部と対向する側に受光部を配置しても良い。この態様であれば、発光部により生体に向けて照射された光のうち当該生体を通過した光が受光部により受光されることになる。
【００４２】
（４）上記実施形態では、観察対象の深さに応じて空間周波数を設定したが、予め定められた固定の空間周波数の縞状パターンを発光するように発光部の発光制御を行っても良く、この態様であれば、図９に示すフローチャートにおけるステップＳＡ０２０およびステップＳＡ０３０の手順は不要であり、発光制御部２０も不要である。また、測定ポイントの設定を省略し、光源・センサーアレイ１０に含まれる全ての受光素子Ｒの出力信号から生体情報を算出しても良い。例えば、真皮全体を想定して生体情報の取得を行う場合には測定ポイントの設定は不要である。この態様であれば、図９のフローチャートにおけるステップＳＡ０７０およびステップＳＡ０８０の手順は不要である。
【００４３】
つまり、本発明における生体情報取得方法は、発光部と、受光した光を表す検出信号を出力する受光部とを生体情報の測定対象となる生体の部位に密着させる第１のステップ（図９におけるステップＳＡ０１０）と、第１のステップにて生体の部位に密着させた発光部を縞状パターンで発光させる第２のステップ（図９におけるステップＳＡ０４０）と、生体の外部に出た光の受光に応じて受光部から出力される検出信号を解析して生体情報を取得する第３のステップ（図９におけるステップＳＡ０５０，ステップＳＡ０６０、ステップＳＡ０９０およびステップＳＡ１００よりなるステップ）と、を含んでいれば良い。
【００４４】
また、本発明の生体情報取得装置は、縞状パターンの光を生体に対して照射する発光部と、発光部により縞状パターンの光を照射された生体の外部へ出た光を受光して検出信号を出力する受光部と、受光部から出力される検出信号を解析して生体情報を取得する生体情報取得部とを具備していれば良い。
【符号の説明】
【００４５】
１…生体情報取得装置、１０…光源・センサーアレイ、Ｄ…発光素子、Ｒ…受光素子、２０…発光制御部、３０…生体情報取得部。
【図１】
2017108924.tif 000003
【図２】
2017108924.tif 000004
【図３】
2017108924.tif 000005
【図４】
2017108924.tif 000006
【図５】
2017108924.tif 000007
【図６】
2017108924.tif 000008
【図７】
2017108924.tif 000009
【図８】
2017108924.tif 000010
【図９】
2017108924.tif 000011